(57)【要約】【課題】本発明は、複数本の経糸（２）からなる経糸束（３）と、複数本の緯糸（４）からなる緯糸束（５）とが交差して、網目又は格子開口部（６）を囲んでなる、目の粗い格子状織物（１）、特に地盤用格子に関する。【解決手段】任意の糸束（３又は５）の個々の糸（２又は４）は、網目（６）で、同じ糸束（３又は５）の他方の糸よりも長くて、これらの長い方の糸（４´）は波形に延びており、網目（６）毎に、少なくとも１つの開いたループ又は膨らみ（７）を形成する。
2006500483.tif 000002
【特許請求の範囲】
【請求項１】
複数本の経糸（２）からなる経糸束（３）と、複数本の緯糸（４）からなる緯糸束（５）とが交差して、網目又は格子開口部（６）を囲んでなる、補強目的のための目の粗い格子状織物（１）において、
任意の糸束（３又は５）の個々の糸（２又は４）は、網目（６）で、同じ糸束（３又は５）の他方の糸よりも長くて、これらの長い方の糸（４´）は波形に延びており、網目（６）毎に、硬化されておりかつ上及び／又は下に前記格子状織物（１）の面から出っ張っている少なくとも１つの開いたループ又は膨らみ（７）を形成することを特徴とする格子状織物。
【請求項２】
前記格子状織物（１）は、格子の面から出っ張っている前記ループ（７）を含めて、高分子プラスチック（９）を用いた被覆によって、硬化されていることを特徴とする請求項１に記載の格子状織物。
【請求項３】
前記長い方の糸（４´）は、網目（６）毎に、前記緯糸束（５）の糸によって形成されていることを特徴とする請求項１又は２に記載の格子状織物。
【請求項４】
前記長い方の糸（４´）は、網目（６）毎に、同じ糸束（３，５）の前記他方の糸（４）よりも１５乃至２５％長いことを特徴とする請求項１乃至３のいずれか１に記載の格子状織物。
【請求項５】
交点（８）では、前記緯糸束（５）の前記糸（４，４´）は前記経糸束（３）の前記糸（２）と織り折り合わされていることを特徴とする請求項１乃至４のいずれか１に記載の格子状織物。
【請求項６】
前記経糸束（３）は、第１の経糸グループ（３´）及び第２の経糸グループ（３´´）に分けられており、前記第１の経糸グループ（３´）は、網目（６）毎に、ハーフ・クロス・レノのように、前記同一の経糸束（３）の前記第２の経糸グループ（３´´）と上で交差しており、前記交点（８）で、２つの経糸グループ（３´，３´´）の前記経糸（２）は前記緯糸（４，４´）と織り合わされていることを特徴とする請求項５に記載の格子状織物。
【請求項７】
前記経糸グループ（３´，３´´）は、任意の緯糸束（５）の前記緯糸（４）の第１の部分が、すべての交点（８）で、任意の経糸束（３）の前記第１の経糸グループ（３´）の前記経糸（２）の上へ及び前記第２の経糸グループ（３´´）の前記経糸（２）の下へ延びており、前記緯糸束（５）の前記緯糸（４）の第２の部分が、前記経糸束（３）の前記第１の経糸グープ（３´）の前記経糸（２）の下へ及び前記第２の経糸グループ（３´´）の前記経糸（２）の上へ延びているように、前記緯糸（４，４´）と織り合わされていることを特徴とする請求項６に記載の格子状織物。
【請求項８】
任意の緯糸束（５）の各々の奇数の緯糸（４）は、任意の緯糸束（５）の前記緯糸の前記第１の部分に属し、各々の偶数の緯糸（４´）は前記緯糸の前記第２の部分に属していることを特徴とする請求項７に記載の格子状織物。
【請求項９】
前記織物に経糸方向に応力を加えて、ジグザグに延びている前記経糸グループ（３´，３´´）を伸ばし、前記交点（８）ではより緊密に押し束ね、このことによって、前記交点（８）では、前記緯糸（４）の第１の部分は、前記２つの経糸グループ（３´，３´´）にＳ字形に巻き付き、他方、前記緯糸（４）の前記第２の部分は、任意の経糸束（３）の前記２つの経糸グループ（３´，３´´）を、実質的に伸びた状態で又は真っ直ぐに通り、このことによって、前記緯糸の前記第１の部分は、前記網目（６）で、前記緯糸の前記第２の部分よりも短く、前記緯糸の前記第２の部分は、前記網目（６）で長く、開いたループ又は膨らみ（７）を形成し、前記格子状織物は前記経糸が緊張した状態で取り付けられることを特徴とする請求項７又は８に記載の格子状織物を製造する方法。
【請求項１０】
前記格子状織物を、高分子プラスチック、特に塩ビプラスチゾル又はラテックス分散液を用いた含浸又は積層によって硬化することを特徴とする請求項９に記載の方法。
【発明の詳細な説明】
【技術分野】
【０００１】
本発明は、複数本の経糸からなる経糸束と、複数本の緯糸からなる緯糸束とは、内側の網目を囲んでおり、互いに直角に延びている経糸束及び緯糸束の交点では、経糸が緯糸と織り合わされている、目の粗い格子状織物に関する。
【背景技術】
【０００２】
経糸束及び緯糸束によって形成される矩形の又は正方形の格子開口部を、本明細書では、「網目」と呼んでいる。
【０００３】
このタイプの格子状織物は、高分子プラスチックで含浸又は積層されているとき、特に、ビチューメンで結合された路面を補強するために、あるいはセメント又は石膏で結合されたモルタル層を補強するために、あるいは地盤用格子として地面を補強するために用いられる。これらの格子状織物は、DE 20 00 937；31 20 661；31 36 026；41 23 055及び199 62 441から公知である。
【０００４】
経糸及び緯糸が、特に、アラミド、ポリエステル等製の、高い引張り強さを有するマルチフィラメント合成糸からなることは好ましい。グラスフィラメント糸も用いることができる。
【０００５】
経糸束及び緯糸束は少なくとも４本の糸からなる。
【０００６】
経糸束、緯糸束及びこれらの束の交点を覆い従ってまた格子織物を硬化し、化学的及び機械的応力に対して保護する薬剤としては、用途に応じて、塩ビプラスチゾル、ラテックス分散液、あるいは、ビチューメン、アクリル酸塩又は類似の軟質合成樹脂からなる分散液並びにこれらの物質からなる混合物であってもよい。
【０００７】
「格子状織物」は、経糸及び緯糸が交点で互いに織り合わされておらず、他の技術、特にラッシェル技術であるいは貼着又は接合によっても互いに結合されているこのようなスクリムをも意味する。
【発明の開示】
【発明が解決しようとする課題】
【０００８】
本発明の課題は、製織技術によって格子状織物に比較的大きなボリュームが与えられ、地盤用格子としての使用の際に、補強されるべき地面との比較的良好な絡み合いが達成されてなる格子状織物を製造することである。
【課題を解決するための手段】
【０００９】
この課題は、本発明に基づき、糸束の個々の糸が、網目毎に、網目の内法の幅よりも長く、同一の糸束の他方の糸よりも長くて、これらの長い方の糸が波形に延びており、網目毎に、少なくとも１つの開いたループ又は膨らみを形成することによって解決される。
【００１０】
緯糸又は経糸の一方の部分が、網目の内法の幅の内側で、同一の糸束の緯糸又は経糸の第２の部分よりも長いことによって、これらの長い方の糸は、網目毎に、大部分格子状織物の面から上又は下に出っ張っている膨らみ又は開いたループを形成する。
【００１１】
格子状織物の面から出っ張っている膨らみ又は開いたループが、格子状織物の面に引っ込まないように、格子状織物を、高分子プラスチックを用いた含浸又は積層によって硬化する。
【００１２】
網目毎における緯糸又は経糸の異なる長さを、例えば熱処理の際に異なって縮んだり、異なって伸びたりする緯糸又は経糸を用いることによって、形成することができる。
【００１３】
スクリムの場合、任意の経糸束の個々の経糸及び／又は任意の緯糸束の個々の緯糸は、網目毎に、格子の面から突き出されることができ、次に、スクリムは、以下の個所、すなわち、経糸がラッシェル技術、貼着又は接合によって緯糸と結合されてなる個所を通る。
【００１４】
DE 199 62 441 A1に記載の格子状織物は、ジオテキスタイルにとって特に好都合である。この格子状織物の場合、複数の経糸束は第１の経糸グループ及び第２の経糸グループに分けられており、第１の経糸グループは、網目毎に、ハーフ・クロス・レノのように、同一の経糸束の第２の経糸グループと一度交差している。この場合、第１の経糸グループは常に上に位置しており、第２の経糸グループは常に下に位置している。経糸と緯糸の交点では、糸は個々に又はグループ毎に互いに織り合わされている。
【００１５】
経糸方向でのかなり強い引張り応力によって、任意の束の、２つの、ジグザグに延びておりかつ網目毎に一度交差している経糸グループの、その糸が、特に交点の領域で、より緊密に押し束ねられることが達成される。このことは、格子状織物が経糸方向に余り撓まず、更に伸びることなく、大きな力を吸収することができるという結果を生み、他方では、緯糸の一方の部分が、相対して移動される経糸グループにＳ字形に巻き付く一方、緯糸の、対向側面に織り込まれた部分が交点を実質的に伸びた状態で通るので、網目毎における緯糸のこの部分は、短い方の糸の、これらの網目の内法の幅を規定する部分よりも長い、という結果を生む。
【００１６】
織物の面から出っ張っているループを有する、本発明に記載の格子状織物は、多数の用途にとって特に好都合である。補強されるべき地面との、比較的良い絡み合いが達成されるのみならず、本発明に係わる格子状織物は、硬化可能な化合物及び製品を、例えば叩き並びに石膏製品及びセメント製品を補強するために、あるいは、プラスチック、石膏又はセメントモルタルからなる、固まるか硬化する製品の製造の際に支持ウェブとして好都合である。これらの製品は、支持用織物の表面に射出成形又は成形されているので、ループは硬化される製品に入り込む。製品は、支持用織物によって互いに結合されている。更に、飛び出しているループを有する格子マットは、ドレーンマットの支持部分を形成するために適切である。更に、格子の面から上に、下に又は上下に出るループには、例えばフェーシアのような製品を取り付けるか、例えばスチール製補強材又は排出管のような製品をループに挿入することができる。
【００１７】
最後に、本発明に係わる格子状織物は、腐蝕防止のために、滑り防止マットとして又は雪除けとして適切である。
【００１８】
弾性的なプラスチック層で被覆されており、出っ張ったループを有する格子状織物は、非常に大きな静摩擦抵抗を有する。斜面用壁の積み重なっている石塊の中間層として、斜面に取り付けられたこの格子を、壁を斜面と結合させることができる。
【発明を実施するための最良の形態】
【００１９】
以下の記述において、本発明の実施の形態を図面を参照して詳述する。図１及び２に図示した目の粗い格子状織物（Gittergewebe）１は、複数本の経糸２からなる経糸束３と、複数本の緯糸４からなる緯糸束５とによって形成される。経糸束３及び緯糸束５は矩形の又は正方形の格子開口部又は網目６を取り囲む。緯糸４の一方の部分４´は、網目６毎に、緯糸４の他方の部分よりも長い。それ故に、長い方の緯糸は膨らみ又は開いたループを形成する。これらの膨らみ又は開いたループは、大部分、格子状織物１の面から上下に出っ張っている。
【００２０】
緯糸４，４´は、交点８で、単独で又はグループで、経糸束の経糸２と織り合わされている。更に、格子状織物１及びその開いたループ７は高分子プラスチックを用いた含浸又は積層によって硬化されている。
【００２１】
図３には、経糸束３が例えば８本の経糸２を有し、緯糸束が８本の緯糸４，４´を有してなる面積の大きな格子状織物１が示されている。
【００２２】
経糸束３は第１の経糸グループ３´及び第２の経糸グループ３´´に分けられている。これらの２つの経糸グループ３´及び３´´は、交点８で、緯糸束５の緯糸４と織り合わされている。２つの緯糸束５の間で、すなわち、網目６毎に、一方の経糸グループ３´は、ハーフ・クロス・レノのように、経糸束３の他方の経糸グループ３´´と交差している。
【００２３】
交点８での織り込みは、任意の緯糸束５の緯糸４の第１の部分が、第１の経糸グループ３´の経糸２の上へ延びており、任意の緯糸束５の緯糸の第２の部分４´が第１の経糸グループ３´の経糸２の下へ及び第２の経糸グループ３´´の経糸２の上へ延びているように、なされる。この場合、各々の奇数の緯糸は第１の経糸グループ３´の上へ及び第２の経糸グループ３´´の下へ延びており、他方、各々の偶数の緯糸は経糸束３の第１の経糸グループ３´の下へ次に第２の経糸グループ３´´の上へ延びている。
【００２４】
経糸束３に加えられる強い引張り応力によって、ジグザグに延びている経糸グループ３´，３´´は伸ばされる。それ故に、交点８では、緯糸の一方の部分は、図５に示すように、経糸グループにＳ字形に巻き付き、他方、緯糸の他方の部分は緯糸の一方の部分ほどに短くならずに交点８を通る。
【００２５】
図５に示すように、経糸束３に引張り力が加えられるとき、交点８では、ジグザグに延びている経糸グループ３´及び３´´が押し束ねられる。ここでは、経糸グループ３´及び３´´の内縁が幾らか重なり合うので、緯糸の一方の部分は、交点８で、緯糸束５の他方の部分よりも長い距離を通らなければならない。
【図面の簡単な説明】
【００２６】
【図１】本発明に記載の格子状織物の平面図を示している。
【図２】格子状織物の端面図を示している。
【図３】本発明に記載の他の実施の形態の平面図を示している。
【図４】格子状織物の交点の拡大断面図を示している。
【図５】図３に示した格子状織物の交点の拡大断面図を示している。
【符号の説明】
【００２７】
１  格子状織物
２  経糸
３  経糸束
３´  第１の経糸グループ
３´´  第２の経糸グループ
４  緯糸
４´  長い方の緯糸
５  緯糸束
６  網目、格子開口部
７  開いたループ
８  交点。
【図１】
2006500483.tif 000003
【図２】
2006500483.tif 000004
【図３】
2006500483.tif 000005
【図４】
2006500483.tif 000006
【図５】
2006500483.tif 000007
【国際調査報告】
2006500483.tif 000008
2006500483.tif 000009
2006500483.tif 000010
2006500483.tif 000011
2006500483.tif 000012